(57)【特許請求の範囲】
【請求項１】
計量皿を備えた電子天びん／電子はかりであって、
計量皿の周辺を取り囲むようにはかり本体に着脱自在に取り付けられた円筒状の保護壁と、
はかり本体にかぶせられる透明な保護カバーとを備え、前記保護カバーは計量皿を露出させる円形の開口部が形成され、この開口部周縁部分が保護壁下端面とはかり本体の上面との間で挟まれて保護カバーがはかり本体に固定されることを特徴とする電子天びん／電子はかり。
【請求項２】
前記保護壁の内面下端に複数の係合爪が設けられ、該係合爪が、はかり本体側に設けられた被係合部に着脱自在に係合するように構成されている請求項１に記載の電子天びん／電子はかり。
【請求項３】
前記係合爪と被係合部とは保護壁の回動操作により係合並びに係合解除するように構成されている請求項１又は請求項２に記載の電子天びん／電子はかり。
【請求項４】
前記保護カバーは合成樹脂シート材で形成され、計量皿を露出させた状態で、はかり本体の上面並びに周側面を覆うように形成されている請求項１〜請求項３のいずれかに記載の電子天びん／電子はかり。
【請求項５】
前記保護壁の上端に透明なドームを連接して計量皿上方に風防ケースを形成した請求項１〜請求項４のいずれかに記載の電子天びん／電子はかり。
【発明の詳細な説明】
【技術分野】
【０００１】
本発明は、秤量装置である電子天びん／電子はかりに関し、さらに詳しくは、計量皿の周辺を取り囲む保護壁を備えた電子天びん／電子はかりに関する。
なお、ここでの電子天びん／電子はかりは、電磁力平衡機構を備えた電子天びん、ロードセル式や音叉式、静電容量式等の電子はかりをはじめ、被測定物の重量加重を電気信号として検出して計測する秤量装置全般を含むものであり、以下これらを総括して電子天びんという。
【背景技術】
【０００２】
微量の対象物を精密測定する電子天びんでは、空気の流動による測定誤差の防止のために秤量物を載置する計量皿の上部空間を透明な風防ケースで覆うようにしたものがある（特許文献１参照）。
【０００３】
また、計量皿周囲の空気の流動ではさほど影響されない程度の測定対象物にも利用できるように、広範囲の用途に対応する汎用型の電子天びんも提供されている。この電子天びんでは、図８に示すように、計量皿４の上部空間を覆う風防ケースを備えておらず、計量皿４がはかり本体１の上面で外部に露出して形成されている。
【０００４】
また従来では、上記図８に示すように、計量皿４を露出させた状態で、はかり本体１の上面並びに周側面を覆うことのできる透明な合成樹脂製の汚れ防止用保護カバー１１が販売時にオプションとして提供され、はかり本体１にかぶせて使用される。この保護カバー１１の取付には、多くの場合両面テープ１５を介してはかり本体１に接着固定されている。
【特許文献１】特開平０８−１３６３３３号公報
【発明の開示】
【発明が解決しようとする課題】
【０００５】
上記汎用型の電子天びんにおいて、計量皿が外部に露出されていると、計測時に誤って計量皿周側面に接触して緻密に組み付けられている計量皿軸部を衝撃により破損するなどの弊害があると共に、計量皿周囲並びに裏面とはかり本体との間に形成される隙間から軸部周囲の間隙を抜けて、はかり本体内部に塵芥物が入って内部の電子機器に悪影響を及ぼす等の問題点があった。
【０００６】
また、上記した汚れ防止用の保護カバーを使用する場合は、両面テープによりはかり本体に接着固定されるために半永久的に取り付けた状態で使用されることになり、一旦取り付けてしまうと洗浄等のために取り外すことができず、汚れて交換したいときや不要なときは破って取り外すしかできなかった。保護カバーをはかり本体にかぶせるだけで固定しておかないこともできるが、その場合は、保護カバーの位置がずれて使いにくくなったり、保護カバーが計量皿や計量皿軸部に接触して測定結果に影響を及ぼすことがあった。
【０００７】
そこで本発明は、計量皿に不用意に衝撃が加わることを防止し、また、計量皿軸部に塵芥物が入り込むのを抑えるようにした電子天びんを提供することを目的とする。
また、保護カバーをはかり本体にかぶせた状態で簡単かつ確実に固定することができ、しかも後から保護カバーを着脱できるようにした電子天びんを提供することを目的とする。
【課題を解決するための手段】
【０００８】
上記目的を達成する為に本発明では次のような技術的手段を講じた。即ち、本発明は、計量皿を備えた電子天びん／電子はかりであって、計量皿の周辺を取り囲むようにはかり本体に着脱自在に取り付けられた円筒状の保護壁と、はかり本体にかぶせられる透明な保護カバーとを備え、前記保護カバーは計量皿を露出させる円形の開口部が形成され、この開口部周縁部分が保護壁下端面とはかり本体の上面との間で挟まれて保護カバーがはかり本体に固定されるようにしている。
【０００９】
なお、前記保護壁内面と計量皿周側面との隙間は接触しないことを前提に、可能な限り小さくすることが好ましく、例えば０．５〜２ｍｍ程度とするのが好ましい。また保護壁の高さは、計量皿の周側面を充分にカバーする寸法、例えば１ｃｍ〜２ｃｍ程度がよい。また前記保護カバーは、合成樹脂シート材で形成され、計量皿を露出させた状態で、はかり本体の上面並びに周側面を覆うように形成するのがよい。
【発明の効果】
【００１０】
上記のごとく構成された本発明の電子天びんでは、計量皿の周辺が円筒状の保護壁によって取り囲まれているので、誤って計量皿の周側面に接触して衝撃を与えることをなくすることができると共に、保護壁内面と計量皿周側面との隙間を可能な限り小さくすることによって塵芥物が隙間からはかり本体内に侵入するのを抑えることができる。また保護壁ははかり本体に着脱自在に取り付けられているから、計量皿下面に埃が入った場合には保護壁を取り外して容易に清掃することができる。更に、保護カバーをはかり本体にかぶせた状態にして、計量皿の周囲において保護カバーの上から保護壁を取り付けるだけで保護カバーを固定することができるとともに、保護壁を取り外せば保護カバーの固定が解除されるので、保護カバーが不要になったときや汚れの洗浄、或いは交換時に簡単に取り外すことができる、といった優れた効果がある。
【００１１】
（その他の課題を解決するための手段及び効果）
上記発明において、保護壁の内面下端に複数の係合爪が設けられ、該係合爪が、はかり本体側に設けられた被係合部に着脱自在に係合するように構成されていてもよい。
これにより、係合手段を簡単な構造で形成することができると共に、係合による保護壁の着脱操作を固定金具や工具を使用することなく容易に行うことができる。
【００１２】
また本発明では、保護壁の上端に透明なドームを連接して計量皿上方に風防ケースを形成するようにしてもよい。
これにより、空気の流動が影響するような精密な計測にも対応することができ、広範囲な計測に利用することができる。
【発明を実施するための最良の形態】
【００１３】
以下において本発明にかかる電子天びんについて、図面に示した実施例に基づき説明する。図１は本発明の一実施形態である電子天びんの斜視図であり、保護壁並びに保護カバーの取付前の状態を示す。また、図２は、図１の電子天びんにおいて計量皿、保護壁、保護カバーを取り外した状態を示す。また、図３は保護壁並びに保護カバーを、はかり本体に取り付けた状態を示す断面図である。
【００１４】
はかり本体１は、内部に天びん機構などからなる重量検出部を備え、表面には測定した重量値などを表示する表示部２を備え、下面に４個の脚３が設けられている。はかり本体１の上面には被測定物を載せるための計量皿４が上方に少し露出するようにして設置されており、中心の軸部５を介して内部の重量検出部と結合されている。通常、この計量皿４は取り外しできるように軸部５に載置するだけで接続されている。
【００１５】
更に、はかり本体１は、計量皿４の周辺を取り囲むように配置された円筒状の保護壁６を備えている。この保護壁６は板金加工により形成され、はかり本体１に係合手段を介して着脱自在に取り付けられている。前記係合手段は、保護壁６の内面下端に間隔をあけつつ内側に向けて突出形成された複数の、好ましくば４つの係合爪７と、はかり本体側１に設けられて前記係合爪７と着脱自在に係合する被係合部８とからなり、保護壁６の係合爪７を被係合部８の切開部８ａから差し込んで保護壁６を回動操作することにより係合爪７が被係合部８の下方に嵌り込んで係合したり、或いは係合解除するように構成されている。尚、前記被係合部８は、計量皿４の軸芯５と同芯的な円盤９の外周縁に形成されており、該円盤９は、はかり本体１にビス１０で固定されている。
【００１６】
なお、前記保護壁６の内面と計量皿４の周側面との隙間は可能な限り小さく、例えば０．５〜２ｍｍ程度で形成されている。また保護壁６の高さは、計量皿４の周側面を充分にカバーできる寸法、例えば１ｃｍ〜２ｃｍ程度がよい。
【００１７】  更に、本発明の電子天びんでは、はかり本体１に着脱自在にかぶせられる薄い透明な合成樹脂製の保護カバー１１を備えている。この保護カバー１１は計量皿４部分を露出させる円形の開口部１２を備え、保護カバー１１をはかり本体１に取り付けたときに、開口部１２の周縁部分が保護壁６の下端面と、はかり本体１の上面との間で挟まれて保護壁６がはかり本体１に固定できるように形成されている。また保護カバー１１は、計量皿４を露出させた状態で、はかり本体１の上面並びに周側面を覆う状態で形成されている。【００１８】
なお、図１の状態において、保護カバー１１が不要の場合は、保護壁６のみをはかり本体１に取り付けて使用することもできる。保護壁６を取り付けることによって、計量皿４の周辺が円筒状の保護壁６によって取り囲まれるので、誤って計量皿４の周側面に接触して衝撃を与えることをなくすることができると共に、塵芥物がはかり本体１内に侵入するのを抑えることができる。また保護壁６は、はかり本体１に回動操作によって簡単に取り付けることができる。
【００１９】  また、保護カバー１１をはかり本体１に取り付けて使用する場合は、保護カバー１１をはかり本体１にかぶせた後に、保護壁６を取り付けるだけで、保護カバー１１の開口部１２の端縁部分を押さえ込んではかり本体１に固定することができる。この場合、図４に示すように、保護壁６の下端面に保護カバー１１の開口部端縁部分が嵌る段差６ａを設けることにより、安定よく開口部端縁部分を押さえ込むことができる。また、保護壁６を取り外せば保護カバー１１の固定が解除されるので、保護カバー１１が不要になったときや汚れの洗浄、或いは交換時に簡単に取り外すことができる。【００２０】
上記実施例では、保護壁６を回動操作することによって係合爪７と被係合部８が係合並びに係合解除するようにしたが、図５に示すように、保護壁６を上方から単に押し下げるだけで係合爪７’が被係合部８’に弾性係合するように形成することも可能である。この場合、係合爪７’の弾性変形を容易にするために、例えば図６に示すように係合爪７’を挟んで上下に延びる左右一対のスリット１３を設けるのがよい。
【００２１】
また本発明では、図７に示すように、保護壁６の上端に透明なドーム１４を連接して風防ケースとすることもできる。透明なドーム１４は、例えば透明なアクリル成形品（窓付）によって形成することが可能であろう。この場合、透明なドーム１４は保護壁６に対して着脱自在とするのがよい。これにより必要に応じて簡単に風防ケースを形成したり、或いは除去することが可能となる。
【００２２】
以上本発明の実施例について説明したが、本発明は必ずしもこれら実施例構造のみに限定されるものではなく、本発明の趣旨を逸脱しない範囲内で適宜改変して実施することができるものである。
【産業上の利用可能性】
【００２３】
本発明は、電磁力平衡機構を備えた電子天びん、ロードセル式や音叉式、静電容量式等の電子天びんをはじめ、被測定物の重量加重を電気信号として検出して計測する秤量装置全般に利用できる。
【図面の簡単な説明】
【００２４】
【図１】本発明にかかる電子天びんの斜視図であって、保護壁並びに保護カバーの取付前を示す。
【図２】上記電子天びんの計量皿、保護壁並びに保護カバーを取り外した斜視図。
【図３】上記保護壁並びに保護カバーを、はかり本体に取り付けた状態を示す断面図。
【図４】保護壁と保護カバーとの取り付け状態を示す拡大断面図。
【図５】本発明における係合手段の別の実施例を示す拡大断面図。
【図６】図５で示した実施例における保護壁の部分的な側面図。
【図７】本発明の別の実施例を示す断面図。
【図８】従来の電子天びんを示す斜視図。
【符号の説明】
【００２５】
１  はかり本体
４  計量皿
５  軸部
６  保護壁
７  係合爪
８  被係合部
１１  保護カバー
１２  開口部
１４  ドーム
【図１】
0004816585.tif 000002
【図２】
0004816585.tif 000003
【図３】
0004816585.tif 000004
【図４】
0004816585.tif 000005
【図５】
0004816585.tif 000006
【図６】
0004816585.tif 000007
【図７】
0004816585.tif 000008
【図８】
0004816585.tif 000009